(57)【要約】【課題】装置の小型化、シャッフル時間の短縮化を図ることのできるカードシャッフル装置を提供する。【解決手段】本発明のカードシャッフル装置１は、分配機構５が、各収容ボックス６へカードを分配するだけでなく、収容ボックス６から分配機構にカードを回収するカード回収機構を備えている。また、分配機構５が上下動することにより収容ボックス６にカードを分配する構成である。このため、カードの回収機構を分配機構とは別に独立して備えいている必要がなく、また、カードの収容ボックス自体が上下動作する構造ではないため、収容ボックスを上下動させるような余裕空間を装置内に確保する必要もなく、装置全体の小型化を図ることができる。【選択図】  図１
2005198668.tif 000002
【特許請求の範囲】
【請求項１】
カードの投入部と出力部との間におけるカード移送経路の中途に配置されると共に、投入部から投入されたカードを受け取って分配するトレイを少なくとも一つ有し、上下方向及び／又は回転方向に動作可能に設けられた分配機構と、
前記分配機構を構成するトレイのカードの受け渡し部に対し、開口端が対向し得るように、前記分配機構の周囲に設けられ、カードを任意枚数ずつ収容可能な複数の収容ボックスと、
前記収容ボックスに収容されたカードを、該収容ボックスの開口端から前記分配機構のトレイに回収するカード回収機構と、
前記トレイに回収されたカードを前記出力部へ移送させる移送機構と、
前記分配機構、カード回収機構及び移送機構の動作を制御する制御部と
を具備することを特徴とするカードシャッフル装置。
【請求項２】
前記カード回収機構が、前記分配機構のトレイに、収容ボックスの配置方向に突出する方向に設けられた突起部材と、該突起部材を収容ボックスに対して離接動作させる駆動部と、前記収容ボックス内に配置され、常態において奥側に位置するカード排出板と、前記収容ボックスの任意部位に設けられ、リンク部材を介して前記カード排出板に連結され、前記突起部材に押圧されることによりカード排出板を前方に動作させる突起受け部とを有して構成されることを特徴とする請求項１記載のカードシャッフル装置。
【請求項３】
前記分配機構が、上下に複数段に配置されたトレイを有し、上下方向に動作可能に設けられると共に、各トレイには、カードの受け渡し部が複数方向に形成されており、
前記収容ボックスが、上下に複数段ずつ配置された状態で複数列設けられていると共に、一方の列に属する収容ボックスの開口端が前記各トレイの一方の受け渡し部に対向し、他方の列に属する収容ボックスの開口端が前記各トレイの他方の受け渡し部に対向し得るように設けられており、
投入部に投入されたカードを一方のトレイで受け取り、各列の収容ボックスに対して、複数方向に形成されたカードの受け渡し部を介してランダムな順でカードを分配し、他方のトレイに形成されたカードの受け渡し部を介して複数方向からカードを回収可能に制御される構成であることを特徴とする請求項１記載のカードシャッフル装置。
【請求項４】
前記分配機構が、上下二段に配置されたトレイを有し、上下方向に動作可能に設けられると共に、各トレイには、カードの受け渡し部が二方向に形成されており、
前記収容ボックスが、上下に複数段ずつ配置された状態で二列で設けられていると共に、一方の列に属する収容ボックスの開口端が前記各トレイの一方の受け渡し部に対向し、他方の列に属する収容ボックスの開口端が前記各トレイの他方の受け渡し部に対向し得るように設けられており、
投入部に投入されたカードを一方のトレイで受け取り、各列の収容ボックスに対して、二方向に形成されたカードの受け渡し部を介してランダムな順でカードを分配し、他方のトレイに形成されたカードの受け渡し部を介して二方向からカードを回収可能に制御される構成であることを特徴とする請求項３記載のカードシャッフル装置。
【請求項５】
前記カード回収機構が、前記収容ボックスに分配されたカードを、ランダムな順で回収するように制御可能に設定されていることを特徴とする請求項１〜４のいずれか１に記載のカードシャッフル装置。
【請求項６】
再シャッフル要求がなされた場合に、既にカードを収容している収容ボックスから、前記カード回収機構の動作により、分配機構のトレイにカードを回収して、再度、収容ボックスに対してランダムな順でカードを分配可能に制御される構成であることを特徴とする請求項１記載のカードシャッフル装置。
【請求項７】
前記カード回収機構が、再シャッフル要求がなされた場合に、所定枚数以上のカードを収容している収容ボックスのみからカードを回収可能に制御される構成であることを特徴とする請求項６記載のカードシャッフル装置。
【請求項８】
前記カードの出力部に装填されたカードの枚数をカウントするセンサを有し、該出力部に装填されたカードの残枚数が所定枚数以下となった場合に、前記分配機構及び移送機構を動作させてカードを補充可能に制御される構成であることを特徴とする請求項１記載のカードシャッフル装置。
【発明の詳細な説明】
【０００１】
【発明の属する技術分野】
本発明は、ブラックジャック、ポーカー、バカラなどにおいて使用するカード（トランプなど）をシャッフルする（切り混ぜる）カードシャッフル装置に関する。
【０００２】
【従来の技術】
ブラックジャック、ポーカー、バカラなどにおいて使用するカードは、ゲーム参加者（プレーヤー）にランダムに配られるようにするため、また、各種の不正行為を防止するため、カードを良く切り混ぜる必要がある。しかし、ディーラー（カードの配り手）によって人手でカードを切り混ぜた場合には、シャッフルに要する時間や、よりランダムに切り混ぜられている否かのシャッフル度合い共に限界がある。
【０００３】
このため、カードを自動的にシャッフルし、人手で行う場合よりも短時間でかつ高いシャッフル度合いとすることができるカードシャッフル装置が種々提案されている。例えば、国際公開番号ＷＯ９９／５２６１１号公報には、カードの投入部と出力部との間に上下に複数段の収容ボックスを配置し、この収容ボックスを上下に動かすことによって、カードをランダムに収容ボックスに分配し、その後、取り出し口を備えたシュータに向けて、各収容ボックスからカードを送り出す構造のものが知られている。
【０００４】
【発明が解決しようとする課題】
しかしながら、上記公報に開示されたシャッフル装置は、複数段に積み重ねられた収容ボックス自体を上下動させる必要があるため、装置全体が大型化せざるを得ないという問題がある。一方、米国特許第４，７７０，４２１号公報には、複数段に積み重ねられた収容ボックス自体は動作させずに、収容ボックスの一端側に分配用エレベータを配置し、他端側に回収用エレベータを配置して、収容ボックスへのカードの分配時には分配用エレベータを動作させ、収容ボックスからカードの回収時には回収用エレベータを動作させる機構が開示されている。しかしながら、この場合には、一列に配置した収容ボックスに対して、必ず２台のエレベータが必要となり、構造が複雑であると共に、やはり装置全体が大型であるという問題がある。
【０００５】
また、上記したいずれのシャッフル装置の場合も、カードは、投入部から出力部に向けて一方向に移送されるに過ぎない。このため、例えば、前者の収容ボックスを上下動させて分配する構造の装置の場合には、収容ボックスを止めた状態では同じ収容ボックスにカードが取り込まれてしまい、シャッフルすることができず、シャッフル中は、収容ボックスを常に上下動させていなければならない。後者の場合にも分配エレベータを常に上下動させていなければ、シャッフルすることはできない。すなわち、いずれの場合も、例えば、１枚のカードをある一つの収容ボックスに分配した後、次に分配されるカードが異なる収容ボックスに分配されるようにするためには、収容ボックス又は分配エレベータを必ず移動させる必要があり、その移動時間分、カードを分配できない（シャッフルできない）時間が生じる。
【０００６】
本発明は上記した点に鑑みなされたものであり、簡易な構成で従来よりも装置の小型化を図ることができるカードシャッフル装置を提供することを課題とする。また、本発明は、分配機構が上下方向及び／又は回転方向に動作しない間でもカードを分配でき、カードのシャッフル時間の短縮化を図ることができるカードシャッフル装置を提供することを課題とする。
【０００７】
【課題を解決するための手段】
上記した課題を解決するため、請求項１記載の本発明では、カードの投入部と出力部との間におけるカード移送経路の中途に配置されると共に、投入部から投入されたカードを受け取って分配するトレイを少なくとも一つ有し、上下方向及び／又は回転方向に動作可能に設けられた分配機構と、
前記分配機構を構成するトレイのカードの受け渡し部に対し、開口端が対向し得るように、前記分配機構の周囲に設けられ、カードを任意枚数ずつ収容可能な複数の収容ボックスと、
前記収容ボックスに収容されたカードを、該収容ボックスの開口端から前記分配機構のトレイに回収するカード回収機構と、
前記トレイに回収されたカードを前記出力部へ移送させる移送機構と、
前記分配機構、カード回収機構及び移送機構の動作を制御する制御部と
を具備することを特徴とするカードシャッフル装置を提供する。
請求項２記載の本発明では、前記カード回収機構が、前記分配機構のトレイに、収容ボックスの配置方向に突出する方向に設けられた突起部材と、該突起部材を収容ボックスに対して離接動作させる駆動部と、前記収容ボックス内に配置され、常態において奥側に位置するカード排出板と、前記収容ボックスの任意部位に設けられ、リンク部材を介して前記カード排出板に連結され、前記突起部材に押圧されることによりカード排出板を前方に動作させる突起受け部とを有して構成されることを特徴とする請求項１記載のカードシャッフル装置を提供する。
請求項３記載の本発明では、前記分配機構が、上下に複数段に配置されたトレイを有し、上下方向に動作可能に設けられると共に、各トレイには、カードの受け渡し部が複数方向に形成されており、
前記収容ボックスが、上下に複数段ずつ配置された状態で複数列設けられていると共に、一方の列に属する収容ボックスの開口端が前記各トレイの一方の受け渡し部に対向し、他方の列に属する収容ボックスの開口端が前記各トレイの他方の受け渡し部に対向し得るように設けられており、
投入部に投入されたカードを一方のトレイで受け取り、各列の収容ボックスに対して、複数方向に形成されたカードの受け渡し部を介してランダムな順でカードを分配し、他方のトレイに形成されたカードの受け渡し部を介して複数方向からカードを回収可能に制御される構成であることを特徴とする請求項１記載のカードシャッフル装置を提供する。
請求項４記載の本発明では、前記分配機構が、上下二段に配置されたトレイを有し、上下方向に動作可能に設けられると共に、各トレイには、カードの受け渡し部が二方向に形成されており、
前記収容ボックスが、上下に複数段ずつ配置された状態で二列で設けられていると共に、一方の列に属する収容ボックスの開口端が前記各トレイの一方の受け渡し部に対向し、他方の列に属する収容ボックスの開口端が前記各トレイの他方の受け渡し部に対向し得るように設けられており、
投入部に投入されたカードを一方のトレイで受け取り、各列の収容ボックスに対して、二方向に形成されたカードの受け渡し部を介してランダムな順でカードを分配し、他方のトレイに形成されたカードの受け渡し部を介して二方向からカードを回収可能に制御される構成であることを特徴とする請求項３記載のカードシャッフル装置を提供する。
請求項５記載の本発明では、前記カード回収機構が、前記収容ボックスに分配されたカードを、ランダムな順で回収するように制御可能に設定されていることを特徴とする請求項１〜４のいずれか１に記載のカードシャッフル装置を提供する。
請求項６記載の本発明では、再シャッフル要求がなされた場合に、既にカードを収容している収容ボックスから、前記カード回収機構の動作により、分配機構のトレイにカードを回収して、再度、収容ボックスに対してランダムな順でカードを分配可能に制御される構成であることを特徴とする請求項１記載のカードシャッフル装置を提供する。
請求項７記載の本発明では、前記カード回収機構が、再シャッフル要求がなされた場合に、所定枚数以上のカードを収容している収容ボックスのみからカードを回収可能に制御される構成であることを特徴とする請求項６記載のカードシャッフル装置を提供する。
請求項８記載の本発明では、前記カードの出力部に装填されたカードの枚数をカウントするセンサを有し、該出力部に装填されたカードの残枚数が所定枚数以下となった場合に、前記分配機構及び移送機構を動作させてカードを補充可能に制御される構成であることを特徴とする請求項１記載のカードシャッフル装置を提供する。
【０００８】
（作用）
請求項１又は２記載の発明によれば、電源をＯＮし、ブラックジャック、ポーカー、バカラなどにおいて使用するカード（トランプなど）を、例えば、１デッキ（１３枚×４種＝５２枚）のカードを投入部にセットする。セットされたカードは、装置内に取り込まれ、分配機構のトレイに保持される。トレイに保持されたカードは、分配機構の受け渡し部を介して、例えば、一枚ずつ、各収容ボックスに分配され収容される。分配機構は上下方向及び／又は回転方向に動作して例えば一枚ずつ異なる収容ボックスにランダムにカードを分配する。収容ボックスに分配されたカードは、分配機構のトレイに回収され、移送機構によって出力部へ移送される。出力部へ移送されたカードは、任意の枚数ずつ取り出され、ゲームに供される。
この際、本発明によれば、収容ボックスから分配機構にカードを回収するカード回収機構を備えている。すなわち、分配機構が、カードを分配する機能だけでなく、回収する機能をも兼ね備えている。このため、カードの回収機構を分配機構とは別に独立して備えいている必要がなく、また、カードの収容ボックス自体が上下動作する構造ではないため、収容ボックスを上下動させるような余裕空間を装置内に確保する必要もなく、装置全体の小型化を図ることができる。
請求項３又は４記載の発明によれば、分配機構が複数のトレイを有しているため、一方を分配用のトレイとして用い、他方を回収用のトレイとして機能を区別して用いることができる。このため、一つのトレイに両者の機能を兼ね備えさせる場合よりも、各トレイの構造が簡易化される。また、トレイに設けられるカードの受け渡し部が複数方向に形成されており、それに対応してカードの収容ボックスが複数の列で配置されているため、例えば、分配機構を上下動させなくても、各受け渡し部に対応する複数の収容ボックスに分配することができ、シャッフル時間を短縮化することができる。なお、分配機構に設けるトレイは請求項４記載の発明にように、上下二段とすることが好ましく、各トレイに形成される受け渡し部は、複雑化を回避するため、二方向に設けることが好ましい。
請求項５記載の発明によれば、収容ボックスに分配されたカードがランダムな順序で分配機構のトレイに回収される。このため、収容ボックスからの回収時においても、さらなるシャッフルがなされ、シャッフル度合いを高めることができる。
請求項６又は７記載の発明によれば、分配機構において分配用に使用されるトレイにカードを回収する。これにより、再度、カードを収容ボックスに分配することができ、再シャッフルすることができる。従来のシャッフル装置によれば、一旦収容ボックスに分配されたカードは出力部に移送する移送機構に対して排出できるのみであるが、本発明によれば、収容ボックスから分配機構にカードを回収できるため、このような再シャッフルを行うことが可能である。
請求項８記載の発明によれば、出力部に装填されるカードの枚数を常に所定枚数以上で維持できるため、ゲームの中断等を防ぐことができる。なお、出力部に装填しておくべきカードの枚数は、ゲームの種類、参加人数、カードの使用枚数等によって異なる。
【０００９】
【発明の実施の形態】
以下、図面に示した実施形態に基づいて本発明を更に詳しく説明する。図１は、本発明の第１の実施形態に係るカードシャッフル装置１の構造を示す断面図である。この図に示したように、カードシャッフル装置１は、筐体２と、カードの投入部３と、カードの装填機構４と、分配機構５と、収容ボックス６と、移送機構７と、出力部８とを有して構成される。
【００１０】
筐体２は、平面視で、所定の幅を有し、前後に長い形状をなしており、長手方向略中央部に上方に突出する突出部２１を有し、該突出部２１の後方の高さの低くなっている部分の上部に投入部３が形成されている。突出部２１内には分配機構５と収容ボックス６が配置され、突出部２１の前方に出力部８が設けられている。すなわち、本実施形態のカードシャッフル装置１は、後方に設けられた投入部３にカードをセットすると、突出部２１内に設けられた分配機構５及び収容ボックス６によってシャッフルされた後、前方の出力部８へとカードが出力される構成である。この際、投入部３は、突出部２１よりも高さの低くなっている部分に形成されており、高さの高い突出部２１上に形成されているわけではないため、操作者（ディーラー）にとって、カードをセットし易い位置となっている。
【００１１】
カードの装填機構４は、投入部３から投入されたカードを受け、これを分配機構５に設けられた分配用トレイ５１に装填するものである。装填機構４は、カードを収容可能な大きさで略箱形に形成される一方、底部には、左右にスライドするスライド板４１が設けられており（図３参照）、このスライド板４１がスライドすることにより、底部が開口し得る構造となっている。すなわち、カードを受け取る際には、装填機構４は、図１の実線で示したように、投入部３の下方に位置し、スライド板４１によって、底部の少なくとも一部が閉鎖された状態となっている。これにより、投入部３から投入されたカードがスライド板４１上に載置され、略箱形の装填機構４内に受け入れられる。カードを受け取った後、この装填機構４は、図１〜図３に示したように、突出部２１内において下方で待機している分配機構５の分配用トレイ５１の上方まで移動し、その時点で、スライド板４１が左右にスライドすることによって、スライド板４１上に載置されていたカードを分配用トレイ５１内に落下させて分配機構５に装填できる構成である。具体的には、図３に示したように、スライド板４１は左右２枚のコ字状の板材からなり、両者は、常態においてバネ部材４１ａにより接近方向に付勢されており、これにより、カードを受け止められる構成となっている。また、スライド板４１の前端部には、該スライド板４１よりも一部が前方に突出するリンク部材４１ｂが設けられており、装填機構４が前進して前方に配置されたストッパ４１ｃに該リンク部材４１ｂの突出している部分が接することにより押されて、バネ部材４１ａの付勢力に抗して２枚のスライド板４１が離間する構成である。
【００１２】
装填機構４を前後に移動させる手段は限定されるものではないが、本実施形態では、筐体２の後方に配置したモータ４ａと、このモータ４ａにより前後方向に動作するラック・ピニオン（図示せず）とを備えた手段から構成されている。
【００１３】
分配機構５は、上段に配置される分配用トレイ５１と下段に配置される回収用トレイ５２の２つのトレイを有して構成される。各トレイ５１，５２は、共通の支持枠部材（図示せず）によって支持されており、一緒に上下動可能に設けられている。各トレイ５１，５２を上下動させる手段は限定されるものではないが、本実施形態では、上記した支持枠部材の各隅部を貫通する上下方向に配置されたガイドロッド（図示せず）と、支持枠部材に連結されるベルト（図示せず）と、後方の第１の収容ボックス列６Ａの上方に配置され、該ベルトが巻き掛けられるプーリ５ａと、後方の第１の収容ボックス列６Ａの下方に配置されたモータ５ｂとにより構成し、該モータ５ｂの駆動によって、ベルトを動作させ、ガイドロッドに沿って上下動させる構成となっている。
【００１４】
分配用トレイ５１は、カードを収容可能な大きさで略箱形に形成されており、底部付近には、上記装填機構４により装填されたカードを収容ボックス６に送り出すための送り出し機構５３が設けられている。この送り出し機構５３は、分配用トレイ５１の底壁５１ａに開口された開口部５１ｂに臨む扁平な略楕円状の押し出しローラ５３ａと、分配用トレイ５１の側壁において底壁５１ａに隣接する部位に形成したスリット５１ｄを介してカードを収容ボックス６に案内するため、該スリット５１ｄに隣接させて設けたガイド板５３ｂと、該ガイド板５３ｂに対向して設けられたガイドローラ５３ｃとを有して構成される。
【００１５】
なお、本実施形態においては、分配用トレイ５１のスリット５１ｄ、送り出し機構５３のガイド板５３ｂ及びガイドローラ５３ｃは、それぞれ、図１において分配用ボックス５１の左右二方向に設けられている。押し出しローラ５３ａは状態においてはその短軸側が略垂直方向に沿うように設けられており、この押し出しローラ５３ａが一方向に略９０度回転すると、長軸側が略垂直方向に沿うため底壁５１ａからその一部が突出し、カードを、所定枚数ずつ（例えば、１枚ずつ、あるいは数枚ずつ）、一方に形成されたスリット５１ｄを介して一方のガイド板５３ｂとガイドローラ５３ｃ間を通過させて送り出す。押し出しローラ５３ａが他方向に略９０度回転すると、他方のスリット５１ｄから他方のガイド板５３ｂとガイドローラ５３ｃ間を通過させてカードを送り出す。
【００１６】
ここで、上記した押し出しローラ５３ａは、図示しないガイド軸に沿って分配用トレイ５１と共に上下動し、このガイド軸を介して回転動作するかさ歯車５３ｄに連結されたギア（図示せず）によって、所定方向に回転動作する。なお、かさ歯車５３ｄを上下動させるガイド軸は、筐体２の後方に配置されたモータ５３ｅにより、ギア５３ｆ、ベルト５３ｇ等を介して回転駆動される。
【００１７】
分配用トレイ５１の上部には、図１において左右に突出する回収用ガイド５１ｆが設けられている。分配用トレイ５１は、基本的には上記したスリット５１ｄを介して収容ボックス６に対してカードを分配する機能を果たすものであるが、この回収用ガイド５１ｆを設けることによって、収容ボックス６から分配用トレイ５１へのカードの回収が可能となり、それにより、後述のように、必要に応じて、再度、分配用トレイ５１のスリット５１ｄを通じて収容ボックス６へ分配することができる構造となっている。
【００１８】
分配用トレイ５１における上記した回収用ガイド５１ｆの下部には、図１において左右に突出する突起部材５１ｇが設けられている。この突起部材５１ｇは、本実施形態において前方に配置された第２の収容ボックス列６Ｂの下方空間に設けられたモータ５１ｈと、モータ５１ｈに連結される伝達軸５１ｋ及び複数のギア５１ｊを有してなる駆動部を介して、前後に（図１において左右に）伸縮し、収容ボックス６に離接し得るようになっている。突起部材５１ｇは、伸びることにより、収容ボックス６の底部に設けられた突起受け部６１を押し込み、この突起受け部６１を押し込むと、収容ボックス６内において常態において奥側に位置し、該突起受け部６１に対してリンク部材（図示しない）を介して連結されたカード排出板６２をそれぞれ手前側（分配機構５側）へ引き出させ、これによって収容ボックス６内のカードを回収用ガイド５１ｆを介して回収し得る構成となっている。
【００１９】
回収用トレイ５２は、分配用トレイ５１と同様に、カードを収容可能な大きさで形成された略箱形の部材からなる。回収用トレイ５２は、収容ボックス６に分配されたカードを回収するために用いられるため、その上部付近に前後に（図１において左右に）突出する回収用ガイド５２ａを有している。また、回収用ガイド５２ａの下方には、分配用トレイ５１と同様の突起部材５２ｂが設けられており、カードの回収時には、上記した駆動部の動作によって収容ボックス６の底部に設けられた突起受け部６１を押して収容ボックス６内のカード排出板６２を手前に引き出させることができる構造となっている。
【００２０】
回収用トレイ５２の前壁部５２ｃは、該回収用トレイ５２内に回収されたカードを排出する際、該カードによって内側から押圧された際に開口する扉式となっている。また、後壁部５２ｄには、出力部８へカードを移送させる移送機構７に設けられた押し出し片７１の通過を許容するスリットなどの開口部（図示せず）が形成されており、該開口部を通じて移送機構７の押し出し片７１が前進すると、回収用トレイ５２内に回収されたカードが前方に押し出され、扉式の前壁部５２ｃを開口させて回収用トレイ５２の外部に排出され、回収用トレイ５２の下方から出力部８にかけて設けられた移送路７５上に移される。
【００２１】
なお、分配用トレイ５１においてカードを収容ボックス６へ送り出すために設けられたスリット５１ｄと該スリット５１ｄに隣接して設けられたガイド板５３ｂとガイドローラ５３ｃ、分配用トレイ５１において収容ボックス６からカードを回収するために設けられた回収用ガイド５１ｆ、並びに、回収用トレイ５２において収容ボックス６からカードを回収するために設けられた回収用ガイド５２ａが、各請求項に記載された「カードの受け渡し部」を構成する。
【００２２】
収容ボックス６は、それぞれ所定枚数のカードを収容可能な略箱状に形成され、筐体２の突出部２１内において、分配機構５の周囲に、本実施形態では分配機構５を挟んで前後に（図１において左右に）複数段ずつ積み重ねられた状態で設けられている。また、分配機構５の分配用トレイ５１及び回収用トレイ５２との間で、円滑にカードの受け渡しが行われるように、各収容ボックス６におけるカードの出入り口となる開口端６ａが分配機構５の上記各カードの受け渡し部に対向するように設けられている。なお、本明細書において、分配機構５の後方に複数段ずつ積み重ねられた収容ボックス６群をまとめて「第１の収容ボックス列６Ａ」といい、分配機構５の前方に複数段ずつ積み重ねられた収容ボックス６群をまとめて「第２の収容ボックス列６Ｂ」という。第１の収容ボックス列６Ａ及び第２の収容ボックス列６Ｂを構成する各収容ボックス６の段数は限定されるものではなく、本実施形態のカードシャッフル装置１を使用するゲームの種類等に応じて、適宜の段数とすることができる。
【００２３】
各列６Ａ，６Ｂに属する各収容ボックス６には、上記したように、底部に、分配用トレイ５１の突起部材５１ｇ及び回収用トレイ５２の突起部材５２ｂが伸張した際に押し込まれる突起受け部６１を有しており、図示しないリンク部材を介してこの突起受け部６１に連動して各収容ボックス６内において奥側から手前側へ押し出されるカード排出板６２が設けられている。
【００２４】
ここで、本実施形態においては、各収容ボックス６に設けられた突起受け部６１及びカード排出板６２と、回収用トレイ５２に設けられた回収用ガイド５２ａ及び突起部材５２ｂと、突起部材５２ｂを駆動させるモータ５１ｈを備えた上記駆動部とにより、各請求項における「カード回収機構」が構成される。また、再シャッフル時においては、分配用トレイ５１に設けられた回収用ガイド５１ｆ及び突起部材５１ｇを含めて、各請求項における「カード回収機構」が構成される。
【００２５】
移送機構７は、上記した押し出し片７１のほかに、該押し出し片７１を支持するフレーム７２、該フレーム７２を支持するアーム部材７３、アーム部材７３を前後方向に動作させる駆動部７４を有して構成される。駆動部７４は、さらに、アーム部材７３の基部に連結される移動体７４ａと、回収用トレイ５２の下方部から出力部８の配設位置にかけて設けられ、該移動体７４ａをガイドするレール部７４ｂと、移動体７４ａをレール部７４ｂに沿って動作させるベルト部材７４ｃと、該ベルト部材７４ｃを駆動させる複数個のギア７４ｄと、該ギア７４ｄを回転させるためのモータ７４ｅとを有して構成される。なお、アーム部材７３は、フレーム７２及び移動体７４ａに対してそれぞれ回動可能に連結される。また、移送機構７は、上記したように、押し出し片７１によって押されるカードを出力部８へ移動させるための移送路７５を有している。さらに、フレーム７２は、図４に示したように、この移送路７５と移動体７４ａ用のレール部７４ｂとの間において、移送路７４と略平行に設けられるガイド溝７２ａにガイドされ、その姿勢及び移動方向が制御される。
【００２６】
出力部８は、図１及び図４に示したように、前方ほど厚みが薄くなる傾斜面を有する傾斜板８１と、この傾斜板８１を上方から覆うと共に、開閉可能に傾斜して設けられた蓋部材８２と、傾斜板８１と蓋部材８２との隙間により形成される取り出し口８３とを有して構成される。上記した移動体７４ａ用のレール部７４ｂは、出力部８の手前まで、略水平に設けられているが、移送路７５は、蓋部材８２によって取り囲まれた出力部８内に位置する前端付近７５ａが、下方に向かって湾曲しつつ蓋部材８２の傾斜角度とほぼ平行となるように傾斜し、出力部８を構成する傾斜板８１上に前端部が隣接するように設けられており、フレーム７２をガイドするガイド溝７２ａも移送路７５に対応して前端付近が下方に向かって湾曲しつつ傾斜して設けられている。これにより、移送路７５上を移送されるカードが、出力部８内に至ると、移送路７５の前端付近７５ａと蓋部材８２との間に所定枚数ストックされることになる。
【００２７】
なお、符号８６は、移送路７５の前端付近７５ａから前方に突出するように付勢された押圧部材であり、該前端付近７５ａと蓋部材８２との間にストックされるカードを後方から前方に常時押圧し、カードを取り出し口８３から取り出しやすくなるようにしている。
【００２８】
傾斜板８１と蓋部材８２との間に形成される取り出し口８３は、カードが１枚通過し得る程度の隙間で形成されており、正面から見て蓋部材８２の略中央部に形成したスリット（図示せず）を通じて、操作者（ディーラー）が指を入れてカードを斜め下方向に引き出すことで、傾斜板８１の傾斜面に沿ってカードが１枚ずつ取り出される構成となっている。
【００２９】
ここで、符号９は、筐体２内の適宜部位に内装されたマイクロコンピュータなどが搭載された制御部であり、この制御部９により、上記各モータの動作（始動、停止、回転速度、回転方向等）などが、マイクロコンピュータに設定された所定のプログラムに従って制御される。符号９１は電源のＯＮ／ＯＦＦスイッチや各種のモード設定ボタンなどが設けられた操作パネルである。
【００３０】
本実施形態のカードシャッフル装置１は次のように使用される。このカードシャッフル装置１は、上記のように出力部８の取り出し口８３からカードを一枚ずつ取り出すことによって各種のカードゲーム（ブラックジャック、ポーカー、バカラなど）を連続して行う場合になどに使用される。まず、操作パネル９１を操作して電源をＯＮする。次に、例えば１デッキのカードを、投入部３から投入する。投入部３にカードを投入すると、この投入部３の下方で待機しているカード装填機構４のスライド板４１上にカードが載置される。スライド板４１上にカードが載置されたことを図示しないセンサにより感知すると、カード装填機構４が前進移動する。カード装填機構４が前進移動して分配機構５の上部トレイ５１の上方に至ると停止し、スライド板４１が開口方向にスライドし、カードを上部トレイ５１内に装填する。その後、カード装填機構４は、投入部３の下方である常態位置に至るまで後退する。
【００３１】
分配機構５は、上部トレイ５１内にカードが装填されると、モータ５ｂの駆動により、下部トレイ５２と共に上昇したり、下降したりする。この際、分配機構５は、制御部９のマイクロコンピュータに設定されたプログラムや、このプログラムにより読み込まれる乱数テーブルに従って、ランダムに上下動する。
【００３２】
例えば、分配機構５の上部トレイ５１の受け渡し部であるスリット５１ｄが、上から３番目に配置された収容ボックス６に隣接した位置に至ったとする。すると、モータ５３ｅの駆動により、かさ歯車５３ｄを介して押し出しローラ５３ａが回転する。この押し出しローラ５３ａは、上記したように略楕円状に形成されており、常態においては長軸側が略水平となるように設定されているが、回転により長軸側が起立するとそれに押し出されるように、該送り出しローラに接している最も下側に位置するカードが１枚、上から３番目に配置された収容ボックス６に送り込まれる。この際、モータ５３ｄの駆動により、押し出しローラ５３ａが図１において右方向に回転した場合には、第１の収容ボックス列６Ａの上から３番目の収容ボックス６にカードが送り込まれ、左方向に回転した場合には第２の収容ボックス列６Ｂの上から３番目の収容ボックス６にカードが送り込まれる。従って、本実施形態によれば、分配機構５が同じ場所に停止している状態においても、押し出しローラ５３ａの回転方向により、異なる収容ボックス６にカードを分配することができる。
【００３３】
分配機構５が移動して、例えば、上部トレイ５１が最も上部に配置された収容ボックス６に隣接した位置に至り、押し出しローラ５３ａが右方向に回転すると、第１の収容ボックス列６Ａにおける最も上部の収容ボックス６にカードが分配される。さらに、例えば、上部トレイ５１が上から６番目の収容ボックス６に隣接した位置に至り、押し出しローラ５３ａが左方向に回転すると第２の収容ボックス列６Ｂにおける上から６番目の収容ボックス６にカードが分配される。
【００３４】
分配機構５はこのようにして上下動を繰り返し、複数設置された収容ボックス６にランダムな順でカードを１枚ずつ、あるいは押し出しローラ５３ａの大きさ等によっては数枚ずつ分配していく。そして、例えば、４デッキのカードを使用する場合には、分配機構５は、１デッキのカードを全て各収容ボックス６に分配後、下降して常態位置で待機し、カード装填機構４によってセットされた次のデッキのカードを上部トレイ５１により受け、上記と同様に収容ボックス６への分配動作を繰り返す。
【００３５】
最初のゲーム開始時における初回シャッフル時に、例えば、４デッキのカードをシャッフルするモードの場合には、上記のようにして４デッキ分のカードを全て各収容ボックス６に分配後、分配機構５が引き続き上下動して、今度は、下部トレイ５２が各収容ボックス６に隣接する位置まで動作して、第１の収容ボックス列６Ａ又は第２の収容ボックス６Ｂに配置されたいずれかの収容ボックス６を、カード回収機構を構成する突起部材５２ｂにより押圧する。これにより、当該収容ボックス６においてカード回収機構を構成している突起受け部６１が押し込まれて、カード排出板６２が前方に移動し、収容されていた所定枚数のカードが回収用ガイド５２ａを介して下部トレイ５２内に回収される。回収後、分配機構５が下降して、下部トレイ５２が移送路７５上に位置すると、押し出し片７１が前進動作し、下部トレイ５２の後壁部５２ｄに形成された開口部を通過して、回収された下部トレイ５２内のカードを押し、扉式の前壁部５２ｃを開口させて、移送路７５上にカードを移す。押し出し片７１は、さらに、カードを押していき、出力部８内の蓋部材８２と移送路７５の前端付近７５ａとの間にカードを斜めに傾斜した状態で配置する。操作者（ディーラー）は、このようにして出力部８内に配置されたカードを指により一枚ずつ引き出し、ゲーム参加者にカードを配布する。
【００３６】
この際、下部トレイ５２に回収するカードの枚数は、収容ボックス一つ分のカードとしてもよいし、収容ボックス複数分ずつとすることもできる。例えば、初回シャッフル時においては、まず、下部トレイ５２が連続して２つの収容ボックス６からカードを回収した後に、移送路７５上にカードを移すように設定する。次に、下部トレイ５２によって収容ボックス一つ分のカードを回収させ、これを補充用のカードとして下部トレイ５２内に該カードを保持した状態で待機させる。そして、出力部８内の蓋部材８２と移送路７５の前端付近７５ａとの間に装填されたカードの枚数をカウントし、残枚数が所定枚数以下となった場合に、押し出し片７１を動作させて下部トレイ５２内のカードを移送路７５上に送り出して出力部８内に補充する。その後は、下部トレイ５２内に常に収容ボックス一つ分のカードを回収させて待機させておき、出力部８内の残枚数が所定枚数以下となる度に補充する構成とすることができる。なお、出力部８内の残枚数は、例えば、取り出し口８３を通過するカードの枚数をカウントするセンサを設けると共に、蓋部材８２と移送路７５の前端付近７５ａとの間に最初にセットされる枚数を予め所定枚数に設定しておくことによって、取り出し口８３を通過して取り出された使用枚数をカウントすれば、算出することができる。
【００３７】
また、下部トレイ５２の各収容ボックス６へアクセスする順序はどのような順序であってもよい。例えば、収容ボックス６に対し、下から順にアクセスして回収するようにしてもよいし、アクセスパターンを予め何通りか制御部９に設定して、そのパターンに従ってアクセスすることもできる。このように、アクセスする順序が固定的であったとしても、収容ボックス６への分配時に既にカードがランダムに配られているため、固定的なアクセスパターンで回収してもカードがシャッフルされていることに変わりはない。しかしながら、下部トレイ５２の各収容ボックス６へのアクセスパターンを分配時の上部トレイ５１と同様に乱数テーブルを用いてランダムな順序とすることにより、回収時においても更なるシャッフルが加わることになり、シャッフル度合いを増すことができる。
【００３８】
１ゲームが終了したならば、ゲーム参加者の保持していたカードや不要となったカードをまとめて、新たに投入部３に投入する。このとき、前回シャッフル時に収容ボックス６に収容された状態で下部トレイ５２に回収されたなかったカードはそのまま各収容ボックス６内に収容されている。新たに投入部３にカードがセットされると、上記と同様にカード装填機構４によって分配機構５の上部トレイ５１にカードが装填され、各収容ボックス６にカードが分配されていくが、この際、収容ボックス６内に既に所定枚数以上のカードが収容されている場合には、その収容ボックス６には新たなカードを分配しないように、センサや制御部９のプログラムを設定しておくことが好ましい。カードの分配が終了した後は、前回シャッフル時と同様に下部トレイ５２にカードが回収されて、出力部８内にカードが送られ、２ゲーム目が開始される。
【００３９】
操作者（ディーラー）は、必要に応じて、操作パネル９１を操作して再シャッフルモードに設定することができる。再シャッフルモードに切り替えた場合には、カード投入部３にカードがセットされているか否かを問わず、カード装填機構４による分配機構５へのカードの装填動作は停止される。また、出力部８内の残枚数が所定枚数以下であるか否かを問わず、出力部８内へのカードの補充動作も停止される。あるいは、カード装填機構４が動作しないように投入部３へのカードのセットがない状態、及び出力部８への補充動作が行われないように出力部８内の残枚数が所定枚数以上である場合に、上記再シャッフルモードに切り替えられるように設定しておく。
【００４０】
再シャッフルモードに切り替えられた場合には、まず、分配機構５がランダムに上下動し、分配機構５の上部トレイ５１に設けられたカード回収機構を構成する突起部材５１ｇによって任意の収容ボックス６の突起受け部６１を押圧し、カード排出板６２を前進させ、回収用ガイド５１ｆを介して、上部トレイ５１内に収容ボックス６内のカードを回収する。この際、全ての収容ボックス６内のカードを回収するように設定することもできるし、カードが所定枚数以上収容されている収容ボックス６のみからカードを回収するように設定することもできる。また、第１の収容ボックス列６Ａと第２の収容ボックス列６Ｂのうち、一方に列に属する収容ボックス６のみからカードを回収してもよいし、任意のボックス数に至るまでランダムな順序でカードを回収するようにしてもよい。いずれにしても、制御部９に設けられるプログラムにより任意に設定できる。
【００４１】
上部トレイ５１内にカードを回収した後は、再び分配機構５がランダムに上下動して、押し出しローラ５３ａによりスリット５１ｄを通じて、上記と同様に、１枚ずつカードを収容ボックス６内に分配していく。この際、既に十分なカードが収容されている収容ボックス６も存在するので、所定枚数以上のカードが収容されている収容ボックス６に対しては、新たなカードを分配しない構成としておくことが好ましい。なお、上部トレイ５１による収容ボックス６からのカードの回収及び収容ボックス６へのカードの再分配は、１回若しくは複数回繰り返すように制御部９に予め設定しておくこともできるが、操作パネル９１により、再シャッフルモードを終了する選択がなされるまで繰り返すように設定することもできる。その後は、下部トレイ５２によってカードを回収し、上記と同様の動作を繰り返し、改めてゲームが開始される。
【００４２】
ゲームが全て終了した場合には、操作パネル９１によりゲーム終了モードを選択する。この際、そのままの状態でウエイトさせることもできるし、カードシャッフル装置１内に取り込まれているカードを全て出力させる選択をすることもできる。後者が選択された場合には、下部トレイ５２が収容ボックス６内に残っているカードを回収するなどして、出力部８へと送り出される。この場合に、操作者（ディーラー）が取り出し口８３からカードを１枚ずつ取り出していたのでは時間を要するが、本実施形態によれば、出力部８に開閉可能な蓋部材８２を設けているため、操作者（ディーラー）は、出力部８の蓋部材８２を開け、まとめてカードを取り出していくことができる。
【００４３】
図５は、本発明の第２の実施形態に係るカードシャッフル装置１’を示す図である。なお、上記第１の実施形態と同様の機能を果たす部材は同じ符号で示す。この図に示したように、本実施形態のカードシャッフル装置１’は、移送路７５の前後方向の長さが上記第１の実施形態よりも短く、出力部８’の構成が異なる。本実施形態の出力部８’は、箱形のカード取り出しボックス８１’を備え、このカード取り出しボックス８１’を、手前に設けた取っ手８１’ｂを把持して引き出すことによって、所定枚数のカードをまとめて取り出せる構造を有している。
【００４４】
カード取り出しボックス８１’には、該カード取り出しボックス８１’に沿って前後方向に移動可能なガイド部材８２’とこのガイド部材８２’に略垂直に取り付けられた規制板８３’が設けられている。規制板８３’は、移送路７５の前端付近７５ａに位置するカード取り出しボックス８１’の後壁８１’ａに対して所定間隔をおいて配置されており、移送路７５上を送られてきたカードがこの規制板８３’と後壁８１’ａ間に装填されるようになっている。
【００４５】
本実施形態によれば、上記第１の実施形態と同様に、投入部３を通じて投入されたカードがカード装填機構４により分配機構５の上部トレイ５１に装填されて収容ボックス６に分配され、その後、下部トレイ５２により所定枚数ずつ回収されて、移送機構７の移送路７５上を出力部８’に送られる。出力部８’に送られたカードは、上記のように規制板８３’と後壁８１’ａとの間に、該規制板８３’に規制されることによってカードが略垂直な姿勢で、次々に装填されていく。かかる動作が繰り返されることにより、規制板８３’と後壁８１’ａとの間に装填されるカードの枚数が増していくと、規制板８３’が前方に押されるため、ガイド部材８２’が前方に移動していく。カードが所定枚数、あるいは投入部３を通じてセットされたカードが全て、カード取り出しボックス８１’内に装填されたならば、操作者（ディーラー）は、取っ手８１’ｂを把持して該カード取り出しボックス８１’を手前へ引き出し、カードを所定枚数あるいは全て取り出して、ゲームを開始する。
【００４６】
カードを取り出した後、カード取り出しボックス８１’を押し込むと、規制板８３’及びガイド部材８２’は後壁８１’ａに接近する方向に移動して常態位置に復帰する。このように、本実施形態によれば、カード取り出しボックス８１’に一旦シャッフルされたカードをため込んで、まとめて取り出せる構造であるため、ゲームの種類や参加人数等によって、６デッキ、８デッキといった多数のカードをシャッフルするのに適する。なお、本実施形態のその他の動作は上記した第１の実施形態と全く同様である。
【００４７】
ここで、上記した第１及び第２の実施形態に係るカードシャッフル装置１，１’は移送機構７及び出力部８’の構造を除くと、全く同様の構造である。従って、これらの装置は、移送機構及び出力部をそれぞれまとめて一つのユニットとして、他の機構からは取り外し可能とすることで、かかるユニットを交換するのみで、いずれのタイプの装置としても使用できるように構成することもできる。
【００４８】
図６は、本発明の第３の実施形態に係るカードシャッフル装置１’’を示す図である。なお、上記第１の実施形態と同様の機能を果たす部材は同じ符号で示す。この図に示したように、本実施形態のカードシャッフル装置１’’は、移送路７５が略水平に形成されており、下部トレイ５２の前方には、カード待機ボックス１００が設けられている。カード待機ボックス１００には、下部トレイ５２から移送機構７によって送り出されるカードが所定枚数待機される。
【００４９】
カード待機ボックス１００の下部には、扁平に形成された送り出しローラ１０１が設けられており、長軸方向が略垂直になると、カード待機ボックス１００内のカードを一枚あるいは所定枚数ずつ前方に送り出す。カード待機ボックス１００のさらに前方には、モータ１０５により回転する駆動ローラ１０２とこれに対向して配置されるガイドローラ１０３とから構成されるカード取り出し機構１０４が設けられている。そして、カード取り出し機構１０４の前方には、筐体２に形成された取り出し口８３’’とその前方に突出形成された皿状の取り出しトレイ８４’とを備えた出力部８’’が設けられている。
【００５０】
本実施形態によれば、上記第１の実施形態と同様に、投入部３を通じて投入されたカードがカード装填機構４により分配機構５の上部トレイ５１に装填されて収容ボックス６に分配され、その後、下部トレイ５２により所定枚数ずつ回収されて、移送機構７によってカード待機ボックス１００に送られる。カード待機ボックス１００にカードが装填されると、送り出しローラ１０１が回転し、カードを例えば１枚ずつ、カード取り出し機構１０４を構成する駆動ローラ１０２及びガイドローラ１０３間に送り込み、駆動ローラ１０２及びガイドローラ１０３の回転によって、取り出しトレイ８４’’上にカードが出力される。
【００５１】
なお、本実施形態においては、図６に示したように、第１の収容ボックス列６Ａ及び第２の収容ボックス列６Ｂを構成する各収容ボックス６の積み上げ段数が、上記した第１及び第２の実施形態と比較して少ない構成となっている。また、出力部８’’の構造も取り出し口８３’’とカードを受ける取り出しトレイ８４’’からなり上記各実施形態よりも簡易な構成である。従って、本実施形態のカードシャッフル装置１’’は、例えば、カードを１デッキのみ使用してカードゲームを行う場合に有用な簡易かつ小型で安価な装置として提供することができる。なお、本実施形態のその他の動作は上記した第１の実施形態と全く同様である。
【００５２】
図７は、本発明の第４の実施形態に係るカードシャッフル装置１０である。上記第１〜第３の実施形態では、いずれも、収容ボックス６を分配機構５の前後に上下方向に積み重ねて配置し、上下方向を除けば、２方向にカードを分配できるのみであるが、本実施形態では、収容ボックス６を、分配機構５の前後方向のみではなく横方向にも配置している。これに伴い、分配機構５は上下動作のほか回転方向にも動作する構成となっている。
【００５３】
この実施形態によれば、分配機構５が上下動作だけでなく回転動作することによっても収容ボックス６にアクセスできるため、収容ボックス６の配設数を同数とした場合には、上記各実施形態よりも装置の高さを低くでき、また、収容ボックス６の積み上げ段数を上記各実施形態と同様にした場合には、収容ボックス６の配設数を増加させることができるため、より複雑なシャッフルを行うことが可能となる。
【００５４】
なお、本発明のカードシャッフル装置１は上記した各実施形態に限定されるものではない。例えば、上記各実施形態では、分配機構５を分配用トレイ５１と回収用トレイ５２とに分けているが、トレイを一つにして分配用と回収用とを兼用させることもできる。但し、この場合には、押し出しローラ５３ａの配設位置やカードの受け渡し部となるスリット５１ｄ、移送路７５へ移す際の扉式の前壁部５２ｃの形成位置などが錯綜するため、その設計には十分留意する必要があり、却って構造が複雑化し、制御も複雑化するおそれがある。このため、上記各実施形態のように分配用トレイ５１と回収用トレイ５２を別々に設けて機能を分散させた構造とすることがより好ましい。
【００５５】
【発明の効果】
請求項１又は２記載の発明に係るカードシャッフル装置によれば、収容ボックスから分配機構にカードを回収するカード回収機構を備えている。すなわち、分配機構が、カードを分配する機能だけでなく、回収する機能をも兼ね備えている。このため、カードの回収機構を分配機構とは別に独立して備えいている必要がなく、また、カードの収容ボックス自体が上下動作する構造ではないため、収容ボックスを上下動させるような余裕空間を装置内に確保する必要もなく、装置全体の小型化を図ることができる。
請求項３又は４記載の発明に係るカードシャッフル装置によれば、分配機構が複数のトレイを有しているため、一方を分配用のトレイとして用い、他方を回収用のトレイとして機能を区別して用いることができる。このため、一つのトレイに両者の機能を兼ね備えさせる場合よりも、各トレイの構造が簡易化される。また、トレイに設けられるカードの受け渡し部が複数方向に形成されており、それに対応してカードの収容ボックスが複数の列で配置されているため、シャッフル時間を短縮化することができる。
請求項５記載の発明に係るカードシャッフル装置によれば、収容ボックスに分配されたカードがランダムな順序で分配機構のトレイに回収される。このため、収容ボックスからの回収時においても、さらなるシャッフルがなされ、シャッフル度合いを高めることができる。
請求項６又は７記載の発明に係るカードシャッフル装置によれば、分配機構において分配用に使用されるトレイにカードを回収できる。これにより、再度、カードを収容ボックスに分配することができ、再シャッフルすることができる。
請求項８記載の発明に係るカードシャッフル装置によれば、出力部に装填されるカードの枚数を常に所定枚数以上で維持できるため、ゲームの中断等を防ぐことができる。
【図面の簡単な説明】
【図１】図１は、本発明の第１の実施形態に係るカードシャッフル装置の断面図である。
【図２】図２は、上記カードシャッフル装置のカードの装填機構を説明するための図である。
【図３】図３は、上記カードシャッフル装置のカードの装填機構を説明するための平面図である。
【図４】図４は、上記カードシャッフル装置のカードの移送機構及び出力部を説明するための図である。
【図５】図５は、本発明の第２の実施形態に係るカードシャッフル装置の断面図である。
【図６】図６は、本発明の第３の実施形態に係るカードシャッフル装置の断面図である。
【図７】図７は、本発明の第４の実施形態に係るカードシャッフル装置を示す模式図である。
【符号の説明】
１，１’，１’’，１０  カードシャッフル装置
２  筐体
３  投入部
４  装填機構
５  分配機構
５１  分配用トレイ
５２  回収用トレイ
６  収容ボックス
６２  カード排出板
７  移送機構
７１  押し出し片
８，８’，８’’  出力部
８２  蓋部材
８３，８３’’取り出し口
８１’カード取り出しボックス
【図１】
2005198668.tif 000003
【図２】
2005198668.tif 000004
【図３】
2005198668.tif 000005
【図４】
2005198668.tif 000006
【図５】
2005198668.tif 000007
【図６】
2005198668.tif 000008
【図７】
2005198668.tif 000009